(57)【要約】  【課題】照明光の色温度補正後の色むらを抑制する撮影用照明装置を提供する。  【解決手段】照明装置３０の白色光発光部の発光体をキセノン放電管３２で構成し、色温度補正光発光部の発光体を赤色成分光を発するＬＥＤ群４２ｒ（１〜３）、緑色成分光を発するＬＥＤ群４２ｇ（１〜３）、および青色成分光を発するＬＥＤ群４２ｂ（１〜３）でそれぞれ構成し、キセノン放電管３２による照明光の色温度をＬＥＤ光で補正する。キセノン放電管３２による照射範囲３２Ａ（図７）を撮影範囲より広くし、ＬＥＤ群４２ｒ（１〜３）、ＬＥＤ群４２ｇ（１〜３）、ＬＥＤ群４２ｂ（１〜３）による照射範囲４２Ａ（図７）は、キセノン放電管３２による照射範囲３２Ａ（図７）を含み、照射範囲３２Ａ（図７）よりさらに広くする。  【選択図】図５
2006138900.tif 000002
【特許請求の範囲】
【請求項１】
少なくとも撮影範囲より広い第１の照射範囲を有する照明光発光部と、
前記第１の照射範囲を含み、前記第１の照射範囲より広い第２の照射範囲を有する色温度補正光発光部と、
色温度補正指示に応じて、前記照明光発光部による照明光の色温度を補正するように前記色温度補正光発光部を発光制御する発光制御手段とを備えることを特徴とする撮影用照明装置。
【請求項２】
請求項１に記載の撮影用照明装置において、
前記発光制御手段は、撮影レンズの焦点距離に応じて前記第２の照射範囲を変化させることを特徴とする撮影用照明装置。
【請求項３】
請求項１に記載の撮影用照明装置において、
前記発光制御手段は、前記第２の照射範囲を広角撮影レンズ使用時の撮影範囲に対応する照射範囲に固定することを特徴とする撮影用照明装置。
【請求項４】
請求項１〜３のいずれか一項に記載の撮影用照明装置において、
前記色温度補正光発光部は、少なくとも単色成分光を発するＬＥＤを備えることを特徴とする撮影用照明装置。
【請求項５】
請求項１〜３のいずれか一項に記載の撮影用照明装置において、
前記色温度補正光発光部は、少なくとも単色成分光を発する面発光素子を備えることを特徴とする撮影用照明装置。
【請求項６】
請求項１〜３のいずれか一項に記載の撮影用照明装置において、
前記色温度補正光発光部は、少なくとも単色成分光を発する有機ＥＬを備えることを特徴とする撮影用照明装置。
【請求項７】
請求項１〜６のいずれか一項に記載の撮影用照明装置を備えることを特徴とするカメラ。
【発明の詳細な説明】
【技術分野】
【０００１】
本発明は、撮影時に被写体を照明する照明装置に関する。
【背景技術】
【０００２】
撮影時に被写体を照明する照明装置において、複数の光源を備えるものが知られている（特許文献１参照）。特許文献１に記載の照明装置には、キセノンランプなどの放電型光源から発せられるフラッシュ光の色温度を補正するために、赤色光を発するＬＥＤおよび青色光を発するＬＥＤが備えられている。そして、色温度補正量に応じて赤色ＬＥＤおよび青色ＬＥＤの一方もしくは両方が点灯制御される。
【０００３】
【特許文献１】特開平１０−２０６９４２号公報
【発明の開示】
【発明が解決しようとする課題】
【０００４】
一般に、光源からの照明光の輝度は、照射範囲の中央部に比べて照射範囲の周辺部で低くなる。色温度補正用の光源による色温度補正光の輝度が照射範囲の周辺部で低くなる場合、照射範囲の中央部および周辺部間の色むらとして観測される。このような色むらは、照明光（キセノンランプや白色ＬＥＤなどによる光）によって照射範囲の中央部および周辺部間で生じている輝度差に比べて、人が感じる違和感が大きい。
【課題を解決するための手段】
【０００５】
請求項１に記載の発明による撮影用照明装置は、少なくとも撮影範囲より広い第１の照射範囲を有する照明光発光部と、第１の照射範囲を含み、第１の照射範囲より広い第２の照射範囲を有する色温度補正光発光部と、色温度補正指示に応じて、照明光発光部による照明光の色温度を補正するように色温度補正光発光部を発光制御する発光制御手段とを備えることを特徴とする。
請求項１に記載の撮影用照明装置において、撮影レンズの焦点距離に応じて第２の照射範囲を変化させるように発光制御手段を構成してもよい。
請求項１に記載の撮影用照明装置において、第２の照射範囲を広角撮影レンズ使用時の撮影範囲に対応する照射範囲に固定するように発光制御手段を構成してもよい。
請求項１〜３のいずれか一項に記載の撮影用照明装置において、少なくとも単色成分光を発するＬＥＤを備えるように色温度補正光発光部を構成してもよい。
請求項１〜３のいずれか一項に記載の撮影用照明装置において、少なくとも単色成分光を発する面発光素子を備えるように色温度補正光発光部を構成してもよい。
請求項１〜３のいずれか一項に記載の撮影用照明装置において、少なくとも単色成分光を発する有機ＥＬを備えるように色温度補正光発光部を構成してもよい。
請求項７に記載の発明によるカメラは、請求項１〜６のいずれか一項に記載の撮影用照明装置を備えることを特徴とする。
【発明の効果】
【０００６】
本発明によれば、撮影範囲より広い範囲（第１の照射範囲）を照射する照明光よりさらに広い範囲（第２の照射範囲）を照射する色温度補正光で上記照明光の色温度を補正するようにしたので、第２の照射範囲の中央部と周辺部とで生じる色温度補正光の輝度差に比べて、撮影範囲の中央部と周辺部とで生じる輝度差が小さく抑えられる。これにより、撮影範囲において一様な色温度補正効果が得られ、色温度補正後の照明光の色むらを抑制できる。
【発明を実施するための最良の形態】
【０００７】
以下、図面を参照して本発明を実施するための最良の形態について説明する。図１は、本発明の一実施の形態による照明装置を装着したカメラシステムの外観図である。図１において、カメラ本体１０に交換可能な撮影レンズ２０が装着されている。カメラ本体１０の被写体側から見て左上部にレリーズボタン１１が設けられ、カメラ本体１０の中央上部に配設されているアクセサリシュー（不図示）に、照明装置３０が装着されている。
【０００８】
図２は、図１のカメラシステムの要部構成を説明するブロック図である。図２において、照明装置３０はキセノン（Ｘｅ）放電管３２、主コンデンサ（ＭＣ）３３、電圧検出回路３４、ＬＥＤ（発光ダイオード）４２および電流供給回路４３を有する。照明装置３０は、アクセサリシューに備えられている通信用端子３１を介してキセノン放電管３２やＬＥＤ４２の発光開始や発光終了を指示するタイミング信号、発光量を指示する信号、発光準備中（充電中）や発光準備完了を示す信号などをＣＰＵ１０１との間で送受信する。なお、カメラ本体１０に照明装置３０による発光を禁止する設定が行われている場合には、ＣＰＵ１０１が発光を指示する信号を照明装置３０へ出力しないように構成されている。
【０００９】
ＣＰＵ１０１はＡＳＩＣなどによって構成される。ＣＰＵ１０１は、後述する各ブロックから出力される信号を入力して所定の演算を行い、演算結果に基づく制御信号を各ブロックへ出力する。
【００１０】
撮影レンズ２０（図１）を通過してカメラ本体１０に入射した被写体光束は、シャッタユニット１０５を介してＣＣＤイメージセンサやＣＭＯＳイメージセンサなどによって構成される撮像素子（不図示）に導かれる。シャッタユニット１０５は、撮影時にＣＰＵ１０１からの指令に応じて所定のタイミングでシャッタ幕を開き、シャッタ速度に対応する露光時間が経過するとシャッタ幕を閉じる。
【００１１】
操作部材１０７はレリーズボタン１１（図１）に連動するレリーズスイッチ、および各種設定を行う操作スイッチ群を含み、操作内容に応じた操作信号をＣＰＵ１０１へ出力する。たとえば、照明装置３０に対する発光許可／発光禁止、および赤目軽減発光などの設定操作に応じて設定操作信号をＣＰＵ１０１へ出力する。
【００１２】
測距装置１０２は、撮影レンズ２０による焦点位置の調節状態を検出し、検出信号をＣＰＵ１０１へ出力する。焦点調節情報の取得は、たとえば、周知の位相差検出方式によって行う。具体的には、撮影レンズ２０の異なる領域を介して入射される２つの焦点検出用光束について、それぞれ不図示のイメージセンサーアレイＡ、およびイメージセンサーアレイＢ上に結像させる。これらイメージセンサーアレイＡ、Ｂに結像した一対の被写体像は、撮影レンズ２０が予定焦点面よりも前に被写体の鮮鋭像を結ぶいわゆる前ピン状態では互いに近づき、逆に予定焦点面より後ろに被写体の鮮鋭像を結ぶいわゆる後ピン状態では互いに遠ざかる。予定焦点面において被写体の鮮鋭像を結ぶ合焦時には、イメージセンサーアレイＡ、Ｂ上の一対の被写体像が相対的に一致する。したがって、一対の被写体像の相対位置ずれ量を求めることにより、撮影レンズ２０の焦点調節状態、すなわちデフォーカス量が得られる。
【００１３】
ＣＰＵ１０１はレンズ駆動ユニット１０４へ指令を送り、上記デフォーカス量に応じて撮影レンズ２０内のフォーカスレンズ（不図示）を光軸方向に進退駆動させ、撮影レンズ２０の焦点位置を調節する。なお、測距装置１０２による焦点検出信号は主要被写体までの距離（撮影距離）に対応する距離情報となる。
【００１４】
測光装置１０３は、撮影レンズ２０を通して被写体光量を検出し、検出信号をＣＰＵ１０１へ出力する。ＣＰＵ１０１は、この検出信号を用いて被写体輝度を算出し、算出した輝度情報を用いて露出演算を行う。
【００１５】
図３は、照明装置３０の光学系について説明する図である。基板４３上に複数の面発光素子（ＬＥＤ４２）がアレイ状に実装されている。面発光素子を用いることで、広範囲に光を照射できる。ＬＥＤ４２から発せられた光はコンデンサレンズＬ２ｂおよびＬ２ａによって集光され、投射レンズＬ１を介して被写体方向へ投射される。一方、キセノン放電管３２から発せられた光はフレネルレンズＬ３を介して被写体方向へ投射される。
【００１６】
図４は、基板４３およびＬＥＤ４２の拡大図である。図４において、赤色成分（Ｒ）の光を発するＬＥＤ群が３つの発光素子４２ｒ１〜４２ｒ３によって構成される。緑色成分（Ｇ）の光を発するＬＥＤ群が、３つの発光素子４２ｇ１〜４２ｇ３によって構成される。青色成分（Ｂ）の光を発するＬＥＤ群が、３つの発光素子４２ｂ１〜４２ｂ３によって構成される。これらのＬＥＤ群は、各素子による発光色が交互に並ぶように配設されている。ＬＥＤ群４２ｒ１〜４２ｒ３、ＬＥＤ群４２ｇ１〜４２ｇ３、およびＬＥＤ群４２ｂ１〜４２ｂ３は、それぞれ各ＬＥＤ群ごと（すなわち、発光色ごと）に点灯および消灯が可能に構成されている。
【００１７】
本実施の形態においては、照明装置３０の発光が許可されている状態で主としてキセノン放電管３２を発光させる。ＬＥＤ群４２ｒ（１〜３）、ＬＥＤ群４２ｇ（１〜３）、およびＬＥＤ群４２ｂ（１〜３）は、キセノン放電管３２による照明光の色温度補正を行う発光モードが設定されている場合に発光させる。色温度補正を行う発光モードの設定は、たとえば、カメラ本体１０側のメニュー設定もしくは操作部材１０７による操作などによって行われる。
【００１８】
図５は、照明装置３０の詳細なブロック構成図である。照明装置３０は、昇圧回路３５と、電圧検出回路３４と、主コンデンサ３３と、白色光発光部と、色温度補正光発光部と、調光・昇圧・輝度制御回路４１とを含み、電池Ｅから供給される電力で駆動される。白色光発光部は、キセノン放電管３２および発光制御回路３９で構成される。色温度補正光発光部は、ＬＥＤ群４２ｒ（１〜３）、ＬＥＤ群４２ｇ（１〜３）、ＬＥＤ群４２ｂ（１〜３）、および各ＬＥＤ群にそれぞれ所定の電流を供給する電流供給回路４０で構成される。各色のＬＥＤ群４２ｒ、４２ｇおよび４２ｂは図２のＬＥＤ４２に対応する。
【００１９】
図５において、照明装置３０のメインスイッチ（不図示）がオンされ、端子３１を介して昇圧開始を指示する信号が照明装置３０に入力されると、調光・昇圧・輝度制御回路４１の指令により昇圧回路３５が電池Ｅによる電圧を昇圧（たとえば、３３０Ｖ）する。主コンデンサ３３は、昇圧後の電圧で充電される。電圧検出回路３４は、主コンデンサ３３の充電電圧が所定電圧（たとえば、２７０Ｖ）に達すると不図示のパイロットランプを点灯させるとともに、発光準備完了を示す信号を端子３１を介してカメラ本体１０のＣＰＵ１０１（図２）へ送信する。
【００２０】
キセノン放電管３２は以下のように放電制御される。カメラ本体１０のＣＰＵ１０１から端子３１を介して発光開始を指示する信号が送信されると、発光制御回路３９がトリガー用の電圧を発生し、このトリガー電圧をキセノン放電管３２のトリガー電極３２Ｔへ印加する。印加されたトリガー電圧によってキセノン放電管３２内で発光が始まり、この発光をトリガーにしてキセノン放電管３２が閃光発光する。すなわち、主コンデンサ３３内に蓄積されていた電気エネルギーがキセノン放電管３２内で放電される。
【００２１】
キセノン放電管３２は、トリガー電圧が印加されると直ちに発光を開始し、その発光強度は最大値まで上昇する。発光強度は主コンデンサ３３内の蓄積エネルギーの減少とともに低下し、主コンデンサ３３の蓄積エネルギーが空になると発光が終了する。一般に、発光強度が最大値の１／２に減少するまでの時間が閃光時間と呼ばれ、放電発光が終了するまでの時間が全発光時間と呼ばれる。なお、実際の撮影時には、調光用測光装置（不図示）で検出される検出信号の積算値に基づいて発光量を制御する調光発光が行われる。この場合には、全発光時間が経過する前にキセノン放電管３２への電力供給が停止されることにより、キセノン放電管３２内の放電発光が停止され、キセノン放電管３２が発する光量が所定光量に制御される。なお、キセノン放電管３２の発光を停止させるための回路は図５において省略されている。
【００２２】
ＬＥＤ群４２ｒ（１〜３）、ＬＥＤ群４２ｇ（１〜３）、ＬＥＤ群４２ｂ（１〜３）は、ＣＰＵ１０１からの発光指示に応じて以下のように点灯制御される。カメラ本体１０のＣＰＵ１０１から端子３１を介して発光開始を指示する信号、および光量を指示する信号が送信されると、調光・昇圧・輝度制御回路４１は、指示内容に基づいてＬＥＤ群４２ｒ、４２ｇ、および４２ｂへそれぞれ供給する電流値を決定する。調光・昇圧・輝度制御回路４１はさらに、決定した電流値の電流を各色のＬＥＤ群４２ｒ、４２ｇおよび４２ｂへ供給するように電流供給回路４０へ指令を送る。
【００２３】
周知のように、ＬＥＤはその定格範囲において駆動電流および発光輝度（発光強度）間に比例関係を有する電流制御型デバイスである。電流供給回路４０が各ＬＥＤ群へ所定値の電流を供給することにより、各ＬＥＤ群が所定輝度で発光する。調光・昇圧・輝度制御回路４１は、カメラ本体１０のＣＰＵ１０１から端子３１を介して発光終了を指示する信号が送信されると、各ＬＥＤ群４２ｒ、４２ｇおよび４２ｂに対する電流供給を終了するように電流供給回路４０へ指令を送る。以上により、各色のＬＥＤ群から発する光量が制御される。
【００２４】
本実施の形態では、設定されているシャッタ速度に対応する露光時間の範囲において、各色のＬＥＤ群４２ｒ、４２ｇおよび４２ｂをパルス発光させる。図６は、各ＬＥＤ群の発光パルス波形を表す図である。図６(１)はＬＥＤ群４２ｒ（１〜３）の駆動パルス波形を表し、図６(２)はＬＥＤ群４２ｇ（１〜３）の駆動パルス波形を表し、図６(３)はＬＥＤ群４２ｂ（１〜３）の駆動パルス波形を表す。各ＬＥＤ群の駆動パルス幅（すなわち、発光パルス幅）は、発光素子における発熱によって発光波長および発光量にドリフトが発生しないように設定される。ここで、ドリフトとは発熱によって生じる発光波長の変動、発光輝度の低下をいう。各ＬＥＤ群による発光量は、発光輝度および発光時間の積で示される。調光・昇圧・輝度制御回路４１は、色温度補正量に応じて各色ごとに発光量（すなわち、ＬＥＤ群への供給電流、パルス幅およびパルス数）を決定し、決定内容を電流供給回路４０へ送信する。                   
【００２５】
色温度を補正するために必要なデータは、調光・昇圧・輝度制御回路４１内の不揮発性メモリ（不図示）に格納されている。たとえば、キセノン放電管３２による照明光の測色データに基づいてあらかじめ色温度補正量が決定され、この色温度補正量を得るための各ＬＥＤ群（各色）の発光比率を示すデータが上記不揮発性メモリに格納されている。
【００２６】
また、ＬＥＤ群４２ｒ（１〜３）、ＬＥＤ群４２ｇ（１〜３）、ＬＥＤ群４２ｂ（１〜３）による発光輝度（すなわち供給電流）と発光時間（パルス幅×パルス数）との関係は、あらかじめ実測結果がテーブル化され、上記不揮発性メモリ（不図示）に格納されている。
【００２７】
さらにまた、ＬＥＤ群４２ｒ（１〜３）、ＬＥＤ群４２ｇ（１〜３）、ＬＥＤ群４２ｂ（１〜３）による照射パターンについて、撮影レンズ２０の複数の焦点距離に対応する複数組の照射パターンデータが上記不揮発性メモリに格納されている。焦点距離が短い広角レンズの場合と焦点距離が長い望遠レンズの場合とでは、被写体距離が同一であっても撮影画角が異なる。したがって、調光・昇圧・輝度制御回路４１はカメラ本体１０からレンズ情報として焦点距離を取得し、取得した焦点距離に対応する照射パターンデータを不揮発性メモリから読み出し、この照射パターンが得られるようにＬＥＤ群４２ｒ（１〜３）、ＬＥＤ群４２ｇ（１〜３）、ＬＥＤ群４２ｂ（１〜３）を発光させる。具体的には、ＬＥＤアレイの中央部付近の発光素子のみを点灯させると照射範囲が狭くなり、ＬＥＤアレイ全体の発光素子を点灯させると照射範囲が広くなる。照射範囲を可変にすることで、無駄な範囲への照射を防止できる。
【００２８】
調光・昇圧・輝度制御回路４１は、上記不揮発性メモリに格納されている各データを参照して決定したＬＥＤ群４２ｒ（１〜３）、ＬＥＤ群４２ｇ（１〜３）、ＬＥＤ群４２ｂ（１〜３）の発光量を、カメラ本体１０から取得される距離情報（主要被写体までの距離を示すデータ）に応じて加減する。
【００２９】
図７は、このように決定された照射パターンを説明する図である。図７において、キセノン放電管３２による照射範囲３２Ａは撮影範囲より広くされている。ＬＥＤ群４２ｒ（１〜３）、ＬＥＤ群４２ｇ（１〜３）、ＬＥＤ群４２ｂ（１〜３）による照射範囲４２Ａは、キセノン放電管３２による照射範囲３２Ａよりさらに広くされている。なお、各ＬＥＤ群４２ｒ（１〜３）、ＬＥＤ群４２ｇ（１〜３）、およびＬＥＤ群４２ｂ（１〜３）は、それぞれが共通の照射範囲４２Ａを照射するように構成される。
【００３０】
以上説明した実施形態によれば、次の作用効果が得られる。
（１）照明装置３０の白色光発光部の発光体をキセノン放電管３２で構成し、色温度補正光発光部の発光体を赤色成分光を発するＬＥＤ群４２ｒ（１〜３）、緑色成分光を発するＬＥＤ群４２ｇ（１〜３）、および青色成分光を発するＬＥＤ群４２ｂ（１〜３）でそれぞれ構成し、キセノン放電管３２による照明光の色温度をＬＥＤ光で補正するようにした。この方式によれば、各ＬＥＤ群（各色）の発光比率を異ならせることにより、色温度を連続的に補正できるので、任意の色温度に補正した照明光が得られる。
【００３１】
（２）キセノン放電管３２による照射範囲３２Ａを撮影範囲より広くし、ＬＥＤ群４２ｒ（１〜３）、ＬＥＤ群４２ｇ（１〜３）、ＬＥＤ群４２ｂ（１〜３）による照射範囲４２Ａは、キセノン放電管３２による照射範囲３２Ａを含み、照射範囲３２Ａよりさらに広くした。したがって、照射範囲４２Ａの中央部と周辺部との間に生じる色温度補正光の輝度差に比べて、撮影範囲の中央部と周辺部との間に生じる色温度補正光の輝度差を小さく抑えられる。この結果、撮影範囲において赤色、緑色、および青色成分の色比率、ならびに発光輝度を略均一に制御でき、撮影範囲の全域で一様な色温度補正効果が得られるため、撮影範囲において色温度補正後の照明光の色むらを抑制できる。照明光の色むらは、照明光の輝度差に比べて人が感じる違和感が大きいため、色温度補正光発光部の発光体の照射画角を白色光発光部の発光体の照射画角より広くすることは大きな意味をもつ。とくに、照明光の照射画角が可変に構成されており、撮影レンズ２０の焦点距離に応じて照射画角がワイドに設定される場合には、照射範囲の中央部と周辺部とで照射光の輝度差が生じやすくなることから効果が大きい。
【００３２】
（３）ＬＥＤ群４２ｒ（１〜３）、ＬＥＤ群４２ｇ（１〜３）、ＬＥＤ群４２ｂ（１〜３）は、キセノン放電管３２より長い時間連続して発光することが可能である。したがって、ＬＥＤ群による発光輝度がキセノン放電管３２による発光輝度より低くても、ＬＥＤ群の発光時間をキセノン放電管３２の閃光時間より長くすることにより、十分に色温度補正効果が得られる。ただし、ＬＥＤ群の発光時間（パルス幅×パルス数）はシャッタの全開時間以下とする。
【００３３】
上記の説明では、白色光発光部の発光体をキセノン放電管３２で構成したが、キセノン放電管３２の代わりに白色ＬＥＤを用いて構成してもよい。
【００３４】
ＬＥＤ群４２ｒ（１〜３）、ＬＥＤ群４２ｇ（１〜３）、およびＬＥＤ群４２ｂ（１〜３）をパルス発光させるようにしたが、パルス発光の代わりに連続発光させるようにしてもよい。この場合には、ＬＥＤ群を構成する発光素子に温度上昇によるドリフトが生じないように放熱措置を施すことが重要である。
【００３５】
ＬＥＤ群４２ｒ（１〜３）、ＬＥＤ群４２ｇ（１〜３）、およびＬＥＤ群４２ｂ（１〜３）による照射範囲４２Ａをレンズ情報（撮影レンズ２０の焦点距離）に応じて可変にする構成例を説明した。この代わりに、最も焦点距離が短い撮影レンズ（広角レンズ）の撮影画角をカバーするように照射範囲を固定してもよい。この場合には、撮影レンズが広角であるか望遠であるかにかかわらず、常にワイドな照射画角へ色温度補正光を発する。照射範囲を固定にすることで、回路構成を簡単にすることができる。
【００３６】
色温度補正光をＲ色成分、Ｇ色成分およびＢ色成分の光で構成する例を説明したが、必ずしも３色成分の光でなくてもよく、これらのうち２色成分の光で構成してもよいし、単色成分光のみで構成してもよい。
【００３７】
ＬＥＤ群は、各色それぞれ３個ずつのＬＥＤ（発光ダイオード）で構成する例を示したが、発光素子数は上述した３個ずつに限らず、４個ずつでも２０個ずつでも照射強度や照射範囲に応じて適宜変更してよい。
【００３８】
また、ＬＥＤ群を横一列に実装する例を示したが、２列であっても５列であってもよく、照射強度や照射範囲に応じて適宜変更してよい。
【００３９】
基板４３上に実装するＬＥＤ４２を有機ＥＬ素子によって構成してもよい。ＬＥＤに比べて高輝度光が得られる。
【００４０】
以上の説明では、外付けタイプの照明装置３０を例にあげて説明したが、照明装置をカメラ本体に内蔵させるようにしてもよい。
【００４１】
上述したカメラ本体は、デジタルカメラでも銀塩カメラでもよい。
【００４２】
特許請求の範囲における各構成要素と、発明を実施するための最良の形態における各構成要素との対応について説明する。第１の照射範囲は、たとえば、照射範囲３２Ａが対応する。照明光発光部は、たとえば、キセノン放電管３２および発光制御回路３９によって構成される。色温度補正光発光部は、たとえば、ＬＥＤ群４２ｒ（１〜３）、ＬＥＤ群４２ｇ（１〜３）、ＬＥＤ群４２ｂ（１〜３）、および電流供給回路４０によって構成される。第２の照射範囲は、たとえば、照射範囲４２Ａが対応する。色温度補正指示は、ＣＰＵ１０１による発光指示が対応する。発光制御手段は、たとえば、調光・昇圧・輝度制御回路４１によって構成される。なお、本発明の特徴的な機能を損なわない限り、各構成要素は上記構成に限定されるものではない。
【図面の簡単な説明】
【００４３】
【図１】本発明の実施形態による照明装置を装着したカメラシステムの外観図である。
【図２】図１のカメラシステムの要部構成を説明するブロック図である。
【図３】照明装置の光学系について説明する図である。
【図４】基板およびＬＥＤの拡大図である。
【図５】照明装置の詳細なブロック構成図である。
【図６】(１)はＬＥＤ群４２ｒの駆動パルス波形を表す図、(２)はＬＥＤ群４２ｇの駆動パルス波形を表す図、(３)はＬＥＤ群４２ｂの駆動パルス波形を表す図である。
【図７】照射パターンを説明する図である。
【符号の説明】
【００４４】
１０…カメラ本体
２０…撮影レンズ
３０…照明装置
３２…キセノン放電管
３３…主コンデンサ
３４…電圧検出回路
３５…昇圧回路
３９…発光制御回路
４０…電流供給回路
４１…調光・昇圧・輝度制御回路
４２（４２ｒ、４２ｇ、４２ｂ）…ＬＥＤ
４３…基板
１０１…ＣＰＵ
Ｌ１、Ｌ２ａ、Ｌ２ｂ、Ｌ３…レンズ
【図１】
2006138900.tif 000003
【図２】
2006138900.tif 000004
【図３】
2006138900.tif 000005
【図４】
2006138900.tif 000006
【図５】
2006138900.tif 000007
【図６】
2006138900.tif 000008
【図７】
2006138900.tif 000009